(57)【要約】 【課題】  最小数部品の簡易な構造により、筐体に対して開口部を開閉する蓋体を回転方向又はスライド方向のいずれでも操作可能に組み付ける。【解決手段】  第１回転支軸部３０の上側外周部をスライドガイド溝２３で保持するとともに第２回転支軸部３２の下側外周部を弾性軸受け片部２０で保持し、蓋体１１を開口部９を閉塞する第１位置と、途中箇所の第２位置を介して取外しが可能な第３位置とにスライド操作可能とさせ、第２位置において第１回転支軸部３０と第２回転支軸部３２とが共同して回転支点軸を構成してスライドガイド溝２３と弾性軸受け片部２０とが共同して構成する軸受けにより回転操作されるようにする。【選択図】  図８
2005260184.tif 000002
【特許請求の範囲】
【請求項１】
外装面に開口する開口部が形成された筐体と、この筐体に対して回転自在かつスライド自在に組み合わされて上記開口部を開閉する蓋体とを備え、
上記蓋体のスライド方向を長軸として上記開口部の相対する側面壁部にそれぞれ形成された一対のスライドガイド溝と、厚み方向に弾性変位自在でありかつ途中部位に回転支点を構成する軸受け凹部が設けられて上記開口部の底面部に上記蓋体のスライド方向を長軸として形成された弾性軸受け片部と、少なくとも一方の上記スライドガイド溝の端部を開口するように形成された蓋体取外しガイド溝とが形成された上記筐体と、
少なくとも主面側の略半周の外周部位が円弧状とされて側方へと突出するボス状凸部からなり上記スライドガイド溝内にそれぞれスライド自在に嵌合される一対の第１回転支軸部と、これら第１回転支軸部に対して内側の同一軸線上でかつ上記弾性軸受け片部と対向して形成されるとともに主面と対向する側の略半周の外周部位が円弧状とされた第２回転支軸部とが形成された上記蓋体とを備え、
上記蓋体が、上記第１回転支軸部の円弧状外周部を上記スライドガイド溝の溝壁を摺擦するとともに上記第２回転支軸部の円弧状外周部を上記弾性軸受け片部上を摺擦することによって、上記開口部を閉塞した第１位置から、上記第２回転支軸部が上記弾性軸受け片部の上記軸受け凹部と係合する第２位置と、この第２位置から上記スライドガイド溝内を移動する上記第１回転支軸部が端部の上記蓋体取外しガイド溝と対向する第３位置へとスライド操作され、
上記第２位置において、上記各第１回転支軸部と上記第２回転支軸部のそれぞれの半円形外周部が共同して構成する軸体が、上記スライドガイド溝と上記弾性軸受け片部の上記軸受け凹部とが共同して構成する軸受け孔内で回転することによって、上記開口部を開放する回転操作が行われ、
上記第３位置において、上記第１回転支軸部が上記蓋体取外しガイド溝を介して上記スライドガイド溝内から抜き出されることによって、上記筐体からの取外し操作が行われることを特徴とする電子機器の蓋体開閉機構。
【請求項２】
上記開口部が、上記筐体の側面部に形成されるとともに、内部に外部機器との接続が行われる入出力端子ユニットが配置されていることを特徴とする請求項１に記載の電子機器の蓋体開閉機構。
【請求項３】
上記筐体に上記蓋体のスライド方向に対して上記開口部と隣接する領域に上記蓋体の内面を摺擦移動させる蓋体受け部を形成するとともに、この蓋体受け部の主面と上記蓋体の内面とに相対嵌合することによって上記蓋体のスライド動作時の横ブレを規制するスライドガイド溝とスライドガイドリブとが形成され、
上記蓋体側に形成された上記スライドガイドリブが、上記第１回転支軸部と一体に形成されて補強部材として機能することを特徴とする請求項１に記載の電子機器の蓋体開閉機構。
【請求項４】
上記筐体に、上記開口部を閉塞した上記蓋体の先端部と対向する内側面壁にロック孔を形成するとともに上記蓋体の外周縁部と対向する適宜の位置に嵌合凹部を形成し、
上記蓋体に、厚み方向に弾性変位自在であり上記開口部を閉塞した状態で上記ロック孔と相対係合することによってスライド方向の移動を係止するロック爪と、上記嵌合凹部と相対係合することによってガタつきを規制する嵌合凸部と
を形成したことを特徴とする請求項１に記載の電子機器の蓋体開閉機構。
【請求項５】
上記蓋体が、上記開口部を閉塞した状態において上記筐体の互いに略直交する背面と２つの側面と略同一面を構成する、互いに略直交して一体化された３面体部材によって構成されることを特徴とする請求項１に記載の電子機器の蓋体開閉機構。
【請求項６】
上記弾性軸受け片部の上記軸受け凹部と上記第１回転支軸部とに、上記蓋体の回転角度を規制するクリック手段を形成したことを特徴とする請求項１に記載の電子機器の蓋体開閉機構。
【発明の詳細な説明】
【技術分野】
【０００１】
本発明は、例えばテレビジョン受像機（以下、テレビ受像機と略称する）やモニタ装置或いはパーソナルコンピュータやオーディオ機器等の各種電子機器に備えられ、外部入出力端子部や機能設定部等のように比較的使用頻度が少ない部位を蓋体で開閉する場合に好適に採用される電子機器の蓋体開閉機構に関する。
【背景技術】
【０００２】
例えば、テレビ受像機は、重要なインテリア電化製品に位置づけられて外観意匠が極めて重要な要素であり、上述した多くのケーブルやコード類が背面部に設けたコネクタに接続されるようになっている。テレビ受像機は、一般的な使用態様としてリモートコントローラにより電源のオンオフ、チャンネル切換或いは音量調整等の操作が行われ、前面部に配置されるこれらの手動用スイッチ類は蓋体で覆われる構造となっている。
【０００３】
ところで、テレビ受像機においては、従来、ビデオレコーダ等の外部機器が接続されるとともに、電子ゲーム機を接続して大型画面でゲームを楽しめるようにもなっている。テレビ受像機においては、デジタル地上波放送の開始に伴って通信端末機能も付加されるようになっている。したがって、テレビ受像機においては、電源コードやアンテナケーブル或いはスピーカ等の接続コード用のコネクタばかりでなく、外部機器との接続を行うための多くの外部入出力端子やメモリカード等を装填するスリットも設けられている。
【０００４】
また、各種の電子機器においても、一般に外観意匠を保持したりいたずら或いは誤操作防止等を目的としてスイッチ類やコネクタ類の外付け部品等を筐体に設けた開口部内に配置するとともに、開口部を開閉する蓋体を設けて構成することが多い。電子機器においては、特に比較的使用頻度が少ない外部入出力端子類や機能設定スイッチ類或いはスロット等が蓋体によって開閉される開口部内に配置される。
【０００５】
電子機器においては、筐体に対して蓋体が、閉塞状態においては外装面の一部を構成して簡単に脱落したり振動等に対してガタつきを生じること無く組み合わされるようにするとともに簡易な操作によって開閉動作を行う開閉機構により組み付けられる。開閉機構については、従来様々な構成のものが提供されているが、筐体に対して蓋体をスライド操作する構成のものと回転操作する構成のものとに大別される。
【０００６】
スライド型蓋体開閉機構は、一般に筐体に形成したスライドガイド構造に沿って蓋体がスライド動作し、開口部を閉塞した状態においてロック爪が筐体側のロック孔に弾性変位しながら係合することによって保持される構成を基本態様としている。また、回転型蓋体開閉機構は、一般に筐体に形成した軸受け孔に対して蓋体に形成したボスが嵌合されて回動自在に保持される構成を基本態様としている。
【発明の開示】
【発明が解決しようとする課題】
【０００７】
従来の蓋体開閉機構においては、一般に蓋体を撓ませたりして筐体に形成したスライドガイド溝や軸受け孔に対して組み付けが行われていた。したがって、従来の蓋体開閉機構においては、筐体に対する蓋体の着脱頻度が多い場合に、蓋体やボスが破損するといった問題があった。また、従来の蓋体開閉機構においては、筐体から取り外された蓋体を紛失してしまうこともあった。さらに、従来の蓋体開閉機構においては、筐体に組み付けた状態において、振動等が加わることにより蓋体にガタつきが生じることがあった。従来の蓋体開閉機構においては、例えばスプリング等の弾性力を負荷して蓋体のガタつきを防止する対応も図られるが、部品点数が増えるとともに構造も複雑となり、また蓋体の着脱操作も行い得なくなるといった問題があった。
【０００８】
ところで、例えばテレビ受像機においては、大型で高性能の液晶表示器やプラズマディスプレィ表示器の開発によって、軽量化、薄型化が図られており、スタンドを組み付けて据置き型として使用するばかりでなく壁掛けブラケットを介して壁面に設置して使用するようにもなっている。テレビ受像機においては、上述したように多機能化に伴って比較的使用頻度が少ないが外部入出力端子部等や機能設定スイッチ類或いはスロット等の配置処理が極めて重要となっている。
【０００９】
テレビ受像機においては、外部入出力端子部等を筐体の背面部に配置するとともに、その一部を前面パネル体でーによって正面からは隠れる側面部にも配置して蓋体で開閉するようにしている。従来のテレビ受像機においては、外部入出力端子部等を開閉する蓋体の開閉機構が、上述した回転操作型かスライド操作型のいずれかであった。テレビ受像機においては、壁掛け型で使用する場合に見やすいように画面を下向きに向けて設置するが、側面部に設けた蓋体が回転型開閉機構である場合に蓋体が壁面とぶっかるために開閉操作が行い得なくなることがあった。したがって、従来のテレビ受像機においては、大型となるにしたがって設置場所や設置姿勢について制限があった。
【００１０】
したがって、本発明は、最小数部品による簡易な構造であり、筐体に対して開口部を開閉する蓋体を回転方向又はスライド方向のいずれでも操作可能にして開口部を開閉することで使い勝手の向上を図る電子機器の蓋体開閉機構を提供することを目的とする。
【課題を解決するための手段】
【００１１】
上述した目的を達成する本発明にかかる電子機器の蓋体開閉機構は、外装面に開口する開口部が形成された筐体と、この筐体に対して回転自在かつスライド自在に組み合わされて開口部を開閉する蓋体とから構成される。電子機器の蓋体開閉機構は、筐体に、開口部と、蓋体のスライド方向を長軸として開口部の相対する側面壁部にそれぞれ形成された一対のスライドガイド溝と、厚み方向に弾性変位自在でありかつ途中部位に軸受け凹部が設けられて開口部の底面部に蓋体のスライド方向を長軸として形成された弾性軸受け片部と、少なくとも一方のスライドガイド溝の端部を開口するように形成された蓋体取外しガイド溝とが形成される。電子機器の蓋体開閉機構は、蓋体に、少なくとも主面側の略半周の外周部位が円弧状とされて側方へと突出するボス状凸部からなり各スライドガイド溝内にそれぞれスライド自在に嵌合される一対の第１回転支軸部と、これら第１回転支軸部に対してそれぞれ内側の同一軸線上でかつ弾性軸受け片部と対向して形成されるとともに主面と対向する側の略半周の外周部位が円弧状とされた第２回転支軸部とが形成される。
【００１２】
以上のように構成された本発明にかかる電子機器の蓋体開閉機構においては、筐体に対して蓋体が、第１位置において例えばロック構造によって開口部をしっかりし閉塞している。電子機器の蓋体開閉機構においては、蓋体により開口部を閉塞することにより、機器の外観を保持し、筐体の内部への埃等の侵入或いはいたずら等の防止が図られるようにする。電子機器の蓋体開閉機構においては、蓋体が、第１位置からロック構造を解除してスライド操作されることにより、第１回転支軸部の円弧状外周部がスライドガイド溝の溝壁を摺擦するとともに第２回転支軸部の円弧状外周部が弾性軸受け片部上を摺擦してスライド動作して、第２回転支軸部が弾性軸受け片部の回転支点を構成する軸受け凹部と係合する第２位置に達する。電子機器の蓋体開閉機構においては、蓋体が、この第２位置からさらにスライド操作されることにより、第２回転支軸部が弾性軸受け片部を弾性変位させて軸受け凹部を乗り越えるとともに第１回転支軸部が嵌合されたスライドガイド溝内を蓋体取外しガイド溝が形成された端部まで移動して第３位置に達する。
【００１３】
電子機器の蓋体開閉機構においては、同一軸線上の異なる位置に形成された第１回転支軸部の円弧状外周部と第２回転支軸部の円弧状外周部とが共同して軸体を構成するとともに、スライドガイド溝と弾性軸受け片部の軸受け凹部とが共同してこの軸体を回転自在に軸受けする軸受け孔を構成する。したがって、電子機器の蓋体開閉機構においては、第２位置において蓋体を回転操作することによって、筐体の開口部が開放される。
【００１４】
電子機器の蓋体開閉機構においては、第３位置まで移動された蓋体が、スライドガイド溝内に嵌合された第１回転支軸部を蓋体取外しガイド溝から抜き出すことにより、筐体から取り外される。電子機器の蓋体開閉機構においては、上述したように筐体に対して蓋体を回転操作或いはスライド操作することによって、開口部の開放操作が行われる。
【発明の効果】
【００１５】
以上のように構成された本発明にかかる電子機器の蓋体開閉機構によれば、筐体に対して回転操作とスライド操作のいずれの操作を行っても開口部を開放することが可能となることから、機器の設置仕様に制限されることなく開口部内に設置したスイッチ類や外部接続端子等を使用することが可能となり使い勝手の向上が図られるようになる。電子機器の蓋体開閉機構によれば、比較的使用される蓋体を回転操作して用いる場合において、筐体から脱落しない構造であることから蓋体の紛失が防止される。電子機器の蓋体開閉機構によれば、筐体と蓋体との最小数部品数で構成されることから、コストの上昇を抑制して機能向上が図られるようになるとともに、操作性が損なわれることは無い。
【発明を実施するための最良の形態】
【００１６】
以下、本発明の実施の形態として図面に示した液晶パネル２を備える大型の薄型テレビ受像機１について詳細に説明する。薄型テレビ受像機１は、デジタル地上波放送対応の液晶テレビ受像機であり、図１に示すように前面フレーム体３によって表示面の外周部を縁取られて大型の液晶パネル２が合成樹脂製の筐体４に組み合わされている。薄型テレビ受像機１は、図１及び図２に示すように、筐体４の底面部４ｃに組み合わされた詳細を省略するスタンドユニット５に支持されて据置き型として用いられる。
【００１７】
薄型テレビ受像機１は、軽量、薄型であることから、図３及び図４に示すように筐体４の背面部４ａに組み付けた詳細を省略する壁掛けブラケットユニット６を介して壁面８に取り付けられて壁掛け型としても用いられる。薄型テレビ受像機１は、通常表示面が壁面８に対して平行な状態で取り付けられるが、例えば視線より高い場所にある場合には図４に鎖線で示すように壁掛けブラケットユニット６に設けられた角度調整機構７ａ、７ｂによって画面を下向きとするように仰角の調整が行われる。
【００１８】
薄型テレビ受像機１には、図１に示すように前面フレーム体３の側方部に詳細を省略するが、リモートコントローラから発信される赤外線信号を受信する赤外線信号受信器や機能表示用の発光素子が配置された受信部１ａ或いは機能スイッチやメモリカード装填部を内蔵した機能スイッチ部１ｂ等が設けられている。薄型テレビ受像機１には、図２に示すように筐体４の背面部４ａに電源コードやアンテナケーブル或いはスピーカ等の接続コード用のコネクタが設けられた第１の外部入出力部１ｃ適宜配置されている。薄型テレビ受像機１には、図２に示すように筐体４の直交する背面部４ａ、側面部４ｂ、底面部４ｃとに跨って、第２の外部入出力部９が設けられている。
【００１９】
薄型テレビ受像機１は、第２の外部入出力部９が筐体４の外装面に段落ちされた開口部からなり、詳細を後述する蓋体開閉機構１０によって筐体４に対して回転自在かつスライド自在に組み合わされた蓋部材１１によって開閉されている。薄型テレビ受像機１は、第２の外部入出力部９に詳細を省略するが適宜の外部機器との接続を行うためのコネクタ等を有する入出力端子ユニット１２を配置する。薄型テレビ受像機１は、通常第２の外部入出力部９を閉塞する蓋部材１１が、図２及び図５に示すように筐体４と略同一面を構成するようにして組み合わされている。薄型テレビ受像機１は、図２に鎖線で示すように蓋部材１１が回転操作或いはスライド操作が可能であり、第２の外部入出力部９を解放して内部の入出力端子ユニット１２を外方に臨ませる。
【００２０】
蓋部材１１も、筐体４と同一の合成樹脂材によって一体に成形され、詳細を後述するように背面部４ａを閉塞する主面部２５と、側面部４ｂを閉塞する側面部２６と、底面部４ｃを閉塞する底面部２７とからなる３面立体構造を呈している。蓋部材１１は、かかる立体形状とされることによって、各部が薄厚であっても機械的強度の向上が図られるようになる。
【００２１】
薄型テレビ受像機１においては、壁掛けブラケットユニット６を介して壁面８に取り付けて用いられる場合に、仰角の調整操作によって蓋部材１１が壁面８に接近して回転操作が行い得ない場合が生じたり大きな開き角度を得ることができないために各種ケーブル等の接続が困難となる場合がある。薄型テレビ受像機１においては、面倒となる場合がる。また、薄型テレビ受像機１においては、スタンドユニット５を用いて据置き型として用いる場合でも、蓋部材１１と壁面８とが接近して回転操作が行い得ない場合が生じることがある。薄型テレビ受像機１においては、上述したように蓋体開閉機構１０によって蓋部材１１が筐体４に対して回転自在かつスライド自在に組み合わされることにより、設置場所や設置姿勢にかかわらず蓋部材１１の開閉操作が可能である。
【００２２】
薄型テレビ受像機１においては、図６に示すように背面部４ａに設けた蓋体組付凹部１３と、この蓋体組付凹部１３に隣接して背面部４ａ、側面部４ｂ及び底面部４ｃに跨って蓋部材１１の厚みとほぼ等しい高さで段落ちされた蓋体受け部１４とによって、筐体４に外部入出力部９を構成している。薄型テレビ受像機１においては、蓋体受け部１４の側面部４ｂの対応部位に開口した開口部から、同図鎖線で示すように詳細を省略する入出力端子ユニット１２を外方に臨むようにして組み付けている。
【００２３】
蓋体組付凹部１３は、高さ方向の矩形凹部からなり、内側面壁部１３ａの略中央部に位置して、蓋部材１１の後述するロック爪２９が係合するロック孔１５が開口されている。蓋体組付凹部１３には、ロック孔１５に対応位置する底面壁部１３ｄに、後述するように蓋部材１１が回転動作する際にロック孔１５を逃がす逃げ凹部１６が形成されている。蓋体組付凹部１３には、相対する側面壁部１３ｂ、１３ｃに内側面壁部１３ａを基端として蓋体受け部１４まで開口された水平方向のスライドガイド溝部１７ａ、１７ｂ（なお、側面壁部１３ｃ側のスライドガイド溝部１７ｂは図示されていない。以下、個別に説明する場合を除き、スライドガイド溝部１７と総称する。）が形成されている。
【００２４】
スライドガイド溝部１７は、詳細を後述するように蓋部材１１に一体に形成した第１回転支軸部３０ａ、３０ｂ（以下、個別に説明する場合を除き、第１回転支軸部３０と総称する。）がそれぞれ相対嵌合して長さ方向にスライドさせる。スライドガイド溝部１７には、それぞれの基端から所定の位置において、上端壁から断面円弧状のクリック凸部１８が一体に突出されている。スライドガイド溝部１７は、クリック凸部１８が途中箇所においてスライド操作される蓋部材１１の第１回転支軸部３０を係止する。スライドガイド溝部１７は、クリック凸部１８が、蓋部材１１が回転操作される際の第１回転支軸部３０を回転させる軸受け孔として機能するとともに、蓋部材１１のスライド操作される際のクリック作用を奏する。
【００２５】
蓋体組付凹部１３には、底面壁部１３ｄのそれぞれ側面壁部１３ｂ、１３ｃに沿った位置に横向き略コ字状の切欠き溝１９ａ、１９ｂ（以下、個別に説明する場合を除き、切欠き溝１９と総称する。）が形成されている。蓋体組付凹部１３には、切欠き溝１９に切り残された部位によって、蓋体受け部１４側を基端として先端部が内側面壁部１３ａと対向する短冊状の弾性軸受け片部２０ａ、２０ｂ（以下、個別に説明する場合を除き、弾性軸受け片部２０と総称する。）が形成される。弾性軸受け片部２０には、蓋部材１１の内面に突出形成した後述する第２回転支軸部３２ａ、３２ｂ（以下、個別に説明する場合を除き、第２回転支軸部３２と総称する。）が突き当てられる。
【００２６】
弾性軸受け片部２０は、上述した形状から厚み方向に対して弾性変位が可能な部位とされ、第２回転支軸部３２を押し上げることにより第１回転支軸部３０をスライドガイド溝部１７の上端壁に押し付けるようにする。弾性軸受け片部２０は、先端部が内方へとややへ字状に折曲されるとともに、先端部から上述したスライドガイド溝部１７のクリック凸部１８と対向する位置に内方へと湾曲された円弧状の軸受け凹部２１ａ、２１ｂ（以下、個別に説明する場合を除き、軸受け凹部２１と総称する。）が形成されている。弾性軸受け片部２０は、軸受け凹部２１が、蓋部材１１が回転操作される際の第２回転支軸部３２を回転させる軸受け孔として機能するとともに、蓋部材１１のスライド操作される際のクリック作用を奏する。
【００２７】
蓋体組付凹部１３には、底面部４ｃ側のスライドガイド溝部１７ｂの先端部を上方に開口させる取外しガイド溝部２２が形成されている。取外しガイド溝部２２は、第２回転支軸部３２の外径よりもやや大きな溝幅を有するとともに、側面壁部１３ｂとの間隔が蓋部材１１の第２回転支軸部３２ａ、３２ｂ間の間隔よりもやや大きくする長さを有して形成されている。取外しガイド溝部２２は、蓋部材１１がスライド操作されてスライドガイド溝部１７内において第２回転支軸部３２が対向されると、このスライドガイド溝部１７から抜き出すことにより蓋部材１１を筐体４から取り外すことを可能とさせる。
【００２８】
蓋体受け部１４には、蓋部材１１のスライド操作をガイドする互いに平行な複数のスライドガイド溝２３ａ乃至２３ｃが形成されている。第１スライドガイド溝２３ａは、蓋体組付凹部１３の側面壁部１３ｂ側に位置して所定の長さを以って形成されている。第２スライドガイド溝２３ｂは、蓋体組付凹部１３の側面壁部１３ｃ側に位置して所定の長さを以って形成されている。これら第１スライドガイド溝２３ａと第２スライドガイド溝２３ｂには、蓋部材１１側の第１回転支軸部３０ａ、３０ｂにそれぞれ一体に形成された後述するスライドガイドリブ３１ａ、３１ｂ（以下、個別に説明する場合を除き、スライドガイドリブ３１と総称する。）が相対係合し、蓋部材１１がスライド操作される際にスライド移動させる。
【００２９】
第３スライドガイド溝２３ｃは、筐体４の底面部４ｃ側に回り込んだ部位に位置して所定の長さを以って形成されている。第３スライドガイド溝２３ｃには、蓋部材１１に形成されてこの蓋部材１１が外部入出力部９をガタつかないように閉塞した状態に保持されるようにする後述する嵌合凸部３３ａが相対係合し、蓋部材１１がスライド操作される際にスライド移動させる。蓋体受け部１４は、上述した各スライドガイド溝２３ａ乃至２３ｃが蓋部材１１側に設けた各凸部を嵌合させてスライド移動させることで、蓋部材１１がガタつかずにスライド操作されるようにする。
【００３０】
蓋体受け部１４には、外部入出力部９を閉塞する蓋部材１１にガタつきの発生を防止させ複数の嵌合凹部２４ａ乃至２４ｄ（以下、個別に説明する場合を除き、嵌合凹部２４と総称する。）が形成されている。第１の嵌合凹部２４ａは、上述した第３スライドガイド溝２３ｃの内側面壁部１３ａ側の端部に開口して形成されている。第１の嵌合凹部２４ａには、蓋部材１１が外部入出力部９を閉塞した状態において、蓋部材１１の主面部２５側に形成した後述する第１の嵌合凸部３３ａが相対係合する。
【００３１】
第２の嵌合凹部２４ｂは、筐体４の側面部４ｂの前面フレーム体３側に位置して形成されている。第２の嵌合凹部２４ｂには、蓋部材１１が外部入出力部９を閉塞した状態において、蓋部材１１の側面部２６の側端縁に長さ方向の一端側に位置して形成した後述する第２の嵌合凸部３３ｂが相対係合する。
【００３２】
第３の嵌合凹部２４ｃは、第２の嵌合凹部２４ｂと対向する筐体４の底面部４ｃ側に位置して形成されている。第３の嵌合凹部２４ｃには、蓋部材１１が外部入出力部９を閉塞した状態において、蓋部材１１の側面部２６の側端縁に、第２の嵌合凸部３３ｂと対向して形成した後述する第３の嵌合凸部３３ｃが相対係合する。
【００３３】
第４の嵌合凹部２４ｄは、外部入出力部９の下端部のコーナ位置に形成されている。第４の嵌合凹部２４ｄには、蓋部材１１が外部入出力部９を閉塞した状態において、蓋部材１１の側面部２６と底面部２７とのコーナ部位に形成した後述する第４の嵌合凸部３３ｄが相対係合する。
【００３４】
薄型テレビ受像機１においては、以上のように構成された筐体４側の外部入出力部９に対して、上述したように主面部２５と側面部２６と底面部２７とが互いに略直交して立体的な３面構造体を構成する蓋部材１１が回転自在かつスライド自在に組み合わされる。蓋部材１１には、図７に示すように、主面部２５の側面部２６が連設された部位と対向する側の先端部に指を引っ掛けてスライド操作を行うための指掛け凸部２８が一体に突設されている。
【００３５】
蓋部材１１には、主面部２５に、指掛け凸部２８が形成された先端縁の長さ方向の略中央部に位置してロック爪２９が一体に突設されている。ロック爪２９は、厚み方向に弾性変位が自在な板状凸部からなり、先端部が鈎状に形成されることによりロック部２９ａを構成している。ロック爪２９は、蓋部材１１が外部入出力部９を閉塞した状態で、図８に示すように筐体４側のロック孔１５内に弾性変位しながら相対係合して蓋部材１１の脱落を防止する。
【００３６】
蓋部材１１には、主面部２５の内面に上述した一対の第１回転支軸部３０が一体に突出形成されている。第１回転支軸部３０は、主面部２５の内面に、指掛け凸部２８が形成された先端側においてそれぞれ側方へと突出するボス状凸部からなる。第１回転支軸部３０は、上述したように筐体４側のスライドガイド溝２３にそれぞれ相対係合され、蓋部材１１がスライド操作されるとこれらスライドガイド溝２３内をスライド動作する。第１回転支軸部３０は、蓋部材１１が弾性軸受け片部２０によって押し上げられることにより、主面部２５の内面側の外周部がスライドガイド溝２３の上側溝壁に押し当てられてスライド動作する。なお、第１回転支軸部３０は、円柱形状のボス状凸部として示したが、スライドガイド溝２３の上側溝壁に押し当てられる部位が円弧状を呈していればよく、半円形状のボス状凸部であってもよい。
【００３７】
蓋部材１１は、第１回転支軸部３０をスライドガイドリブ３１を介して主面部２５の内面から一体に形成してなる。スライドガイドリブ３１は、主面部２５の幅方向に長い立壁状の部位であり、第１回転支軸部３０を支持する機能を奏する。また、スライドガイドリブ３１は、上述したように筐体４側に形成した第１スライドガイド溝２３ａと第２スライドガイド溝２３ｂとにそれぞれ相対係合され、蓋部材１１がガタつかずにスライド動作されるように機能する。なお、スライドガイドリブ３１は、第１回転支軸部３０の支持機能とスライド動作のガイド機能とを分離して、それぞれ別部位として蓋部材１１に形成されるようにしてもよい。
【００３８】
蓋部材１１には、主面部２５の内面に上述した一対の第２回転支軸部３２が一体に突出形成されている。第２回転支軸部３２は、第１回転支軸部３０の内側で互いに同一軸線上に位置しかつ筐体４０側の弾性軸受け片部２０の内面と対向して主面部２５の内面に一体に突出形成されたリブ状凸部からなる。第２回転支軸部３２は、図８に示すようにそれぞれの先端部３２ａ１、３２ｂ１がそれぞれ円弧状に形成されることにより、同一軸線上の異なる位置に形成された第１回転支軸部３０の円弧状外周部と共同して軸体を構成する。第２回転支軸部３２は、同図に示すように蓋部材１１が外部入出力部９を閉塞した状態ではそれぞれの先端部が弾性軸受け片部２０の内面と非接触状態とされる高さを以って形成されている。
【００３９】
第２回転支軸部３２は、蓋部材１１がスライド操作されると弾性軸受け片部２０の内面に沿ってスライド動作する。第２回転支軸部３２は、弾性軸受け片部２０の軸受け凹部２１までスライド動作することによって、弾性軸受け片部２０からの弾性力が負荷される。第２回転支軸部３２は、上述したように第１回転支軸部３０と共同して、スライドガイド溝２３のクリック凸部１８と弾性軸受け片部２０の軸受け凹部２１とが共同して筐体４側に構成する軸受け孔に嵌合されて蓋部材１１を回転自在に支持する軸体を構成する。
【００４０】
なお、蓋部材１１は、第２回転支軸部３２を、先端部を円弧状に形成したリブ状凸部によって構成したが、かかる形状に限定されるものでは無い。蓋部材１１は、第２回転支軸部３２が、第１回転支軸部３０と同一軸線上の異なる位置に形成されて共同して軸体を構成する部位であればよい。蓋部材１１においては、第１回転支軸部３０と第２回転支軸部３２とを、例えばスライドガイドリブ３１の両側面にそれぞれ一体に突出形成した上下対称の半円形断面の凸部によって構成するようにしてもよい。
【００４１】
蓋部材１１には、上述したように外部入出力部９を閉塞した状態において蓋部材１１にガタつきを生じさせないようにする複数の嵌合凸部３３が、側面部２６と底面部２７の内面に一体に形成されている。嵌合凸部３３は、蓋部材１１が外部入出力部９に押し込められてロック爪２９がロック孔１５に係合した状態において、筐体４側に相対して形成された上述した嵌合凹部２４に嵌合する。嵌合凸部３３は、それぞれ先端が相対する嵌合凹部２４の開口寸法よりも小さな断面寸法とされるとともに基端が開口寸法とほぼ同等の断面寸法とされた先端から基端に向かって次第に幅広とするテーパ凸部からなる。
【００４２】
第１嵌合凸部３３ａは、円弧状の底面部２７の外周縁に位置して一体に突出形成され、筐体４側の第１の嵌合凹部２４ａと嵌合する。第２嵌合凸部３３ｂは、第１嵌合凸部３３ａと対角位置の側面部２６の外周縁に位置して一体に突出形成され、筐体４側の第２の嵌合凹部２４ｂと嵌合する。第３嵌合凸部３３ｃは、第２嵌合凸部３３ｂと対向する側面部２６の外周縁に位置して一体に突出形成され、筐体４側の第３の嵌合凹部２４ｃと嵌合する。第４嵌合凸部３３ｄは、第２嵌合凸部３３ｂの側方で側面部２６のコーナ部に位置して一体に突出形成され、筐体４側の第４の嵌合凹部２４ｄと嵌合する。
【００４３】
以上のように形成された蓋部材１１は、上述した筐体４に対して、主面部２５を背面部４ａと平行状態として姿勢で、蓋体受け部１４から蓋体組付凹部１３に組み付けられる。蓋部材１１は、やや斜めの姿勢で一方の第１回転支軸部３０ａが相対するスライドガイド溝１７ａの先端部に差し込むようにして嵌合され、他方の第１回転支軸部３０ｂが取外しガイド溝部２２からスライドガイド溝１７ｂ内に落とし込まれるようにして筐体４に組み合わされる。
【００４４】
蓋部材１１は、例えば指掛け凸部２８を押して主面部２５を蓋体受け部１４に沿ってスライド操作されて主面部２５が蓋体組付け凹部１３を覆った状態で、ロック爪２９の先端部２９ａが内側壁部１３ａに突き当たる。蓋部材１１は、さらに強く押し込むと、ロック爪２９が弾性変位してその先端り爪部２９ａがロック孔１５内に相対係合するとともに嵌合凸部３３が相対する嵌合凹部２４と嵌合する。したがって、蓋部材１１は、上述したようにロック孔１５に係合するロック爪２９によって脱落が防止されるとともに、複数位置において嵌合凹部２４に嵌合する嵌合凸部３３によってガタつきが防止され、図５に示すように外部入出力部１９を閉塞して筐体４に組み合わされる。
【００４５】
薄型テレビ受像機１においては、蓋体開閉機構１０によって上述した構造の蓋体組付凹部１３を有する外部入出力部９を閉塞して筐体４に組み合わされた蓋部材１１が、外部機器等を接続する場合に蓋部材１１のスライド操作或いは回転操作が行われる。蓋体開閉機構１０においては、蓋部材１１が、外部入出力部９を閉塞した第１位置から、筐体４に対して回転可能とする第２位置と、筐体４から取外し可能とする第３位置とに亘ってスライド操作されるようにする。蓋体開閉機構１０による蓋部材１１のスライド操作について、図９乃至図１６を参照して以下説明する。
【００４６】
蓋体開閉機構１０においては、蓋部材１１が、外部入出力部９を閉塞する第１位置において、図９（Ａ）に示すように主面部２５が蓋体組付凹部１３を閉塞するとともにその内面が蓋体受け部１４に支えられて側面部２６が入出力端子ユニット１２を覆っている。蓋体開閉機構１０においては、蓋部材１１が、ロック爪２９の爪部２９ａを蓋体組付凹部１３側のロック孔１５に相対係合させるとともに、図示しない各嵌合凸部３３が相対する筐体４側の嵌合凹部２４に嵌合させている。なお、スライドガイド溝１７は、上述したように上溝壁がガイド機能を奏することから、上溝壁部のみを図示してある。
【００４７】
蓋体開閉機構１０においては、蓋部材１１が、同図（Ｂ）に示すように第１回転支軸部３０をスライドガイド溝１７の内側壁部１３ａ側の端部に位置させている。蓋体開閉機構１０においては、蓋部材１１が、同図（Ｃ）に示すように第２回転支軸部３２を蓋体組付凹部１３の逃げ凹部１６内に位置させている。
【００４８】
薄型テレビ受像機１においては、蓋部材１１が上述した第１位置から指掛け凸部２８をやや強く押して主面部２５を蓋体受け部１４に沿って第２位置までスライド操作すると、蓋部材１１のロック状態が解除されて図１０に示すように蓋体組付凹部１３の内側壁部１３ａ側が開口する。蓋体開閉機構１０においては、蓋部材１１が、強く押されることによってロック爪２９が弾性変位して図１１（Ａ）に示すように爪部２９ａのロック孔１５との係合状態が解除される。蓋体開閉機構１０においては、蓋部材１１が、主面部２５の内面を蓋体受け部１４に支えられてスライド動作し、図示しない各嵌合凸部３３も筐体４側の嵌合凹部２４との嵌合状態が解除される。
【００４９】
蓋体開閉機構１０においては、蓋部材１１が、同図（Ｂ）に示すように第１回転支軸部３０をスライドガイド溝１７内で移動させてクリック凸部１８に突き当てて弾性軸受け片部２０の軸受け凹部２１と同一軸線上に位置させる。蓋体開閉機構１０においては、蓋部材１１が、同図（Ｃ）に示すように第２回転支軸部３２がその先端部３２ａ１、３２ｂ１を弾性軸受け片部２０の内面に乗り上がることによって弾性軸受け片部２０を下側へと弾性変位させた状態とする。蓋体開閉機構１０においては、蓋部材１１が、弾性軸受け片部２０からの弾性力を受けて第１回転支軸部３０をスライドガイド溝１７の上溝壁部に押し付けることによりガタつきの発生が防止される。
【００５０】
蓋体開閉機構１０においては、第２位置において、同図（Ｂ）に示すように第１回転支軸部３０がそれぞれの上側部位をスライドガイド溝１７のクリック凸部１８において回転自在とされる。また、蓋体開閉機構１０においては、同図（Ｃ）に示すように第２回転支軸部３２がそれぞれの先端部３２ａ１、３２ｂ１を弾性軸受け片部２０の軸受け凹部２１と嵌合することにより、第２回転支軸部３２の先端部３２ａ１、３２ｂ１が相対する軸受け凹部２１で回転自在とされる。
【００５１】
したがって、蓋体開閉機構１０においては、蓋部材１１側において同一軸線上の異なる位置に形成された第１回転支軸部３０の上側部位と第２回転支軸部３２の先端部３２ａ１、３２ｂ１とが共同して軸体を構成する。また、蓋体開閉機構１０においては、筐体４側においても同一軸線上の異なる位置に形成されたスライドガイド溝１７のクリック凸部１８と弾性軸受け片部２０の軸受け凹部２１とが共同して、上述した蓋部材１１側の軸体を回転自在に軸支する軸受け孔を構成する。
【００５２】
薄型テレビ受像機１においては、ロック状態を解除された上述した第２位置において、図１２に示すように蓋部材１１が筐体４に対して主面部２５を背面部４ａに対して直交する状態に回転操作される。薄型テレビ受像機１においては、これによって側面部２６により閉塞されていた外部入出力部９が開放されて、入出力端子ユニット１２を外方へと臨ませるようにする。薄型テレビ受像機１においては、入出力端子ユニット１２を介して外部機器との接続が行われる。
【００５３】
蓋体開閉機構１０においては、上述した軸受け構造によって蓋部材１１の回転動作が行われると、図１３（Ａ）に示すように指掛け凸部２８やロック爪２９が蓋体組付凹部１３の逃げ凹部１６内に位置して蓋部材１１が回転動作されるようにする。蓋体開閉機構１０においては、同図（Ｂ）に示すように第１回転支軸部３０が、スライドガイド溝１７のクリック凸部１８によって構成された軸受け孔で回転する。蓋体開閉機構１０においては、同図（Ｃ）に示すように第２回転支軸部３２がそれぞれの先端部３２ａ１、３２ｂ１を弾性軸受け片部２０の軸受け凹部２１によって構成された軸受け孔で回転する。蓋体開閉機構１０においては、蓋部材１１が、弾性軸受け片部２０からの弾性力を負荷されることにより、回転した位置で保持される。
【００５４】
薄型テレビ受像機１においては、例えば壁掛けブラケットユニット６を介して壁面８に設置されることにより、筐体４の背面部４ａと壁面８との間に蓋部材１１を回転操作するためのスペースが確保することが困難な場合に、図１４に示すように蓋部材１１が第２位置を越えてさらに第３位置までスライド操作される。薄型テレビ受像機１においては、この第３位置において、蓋部材１１を筐体４から取り外す操作を行うことが可能となる。
【００５５】
蓋体開閉機構１０においては、図１５（Ａ）に示すように蓋部材１１が主面部２５の内面を蓋体受け部１４に沿って側面方向へとスライド動作される。蓋体開閉機構１０においては、第１回転支軸部３０がクリック凸部１８を乗り越えてスライドガイド溝１７内を先端部まで移動することによって、同図（Ｂ）に示すように一方の第１回転支軸部３０ｂが一方のスライドガイド溝１７ｂの端部に連通して形成した取外しガイド溝部２２と対向する。蓋体開閉機構１０においては、同図（Ｃ）に示すように第２回転支軸部３２が弾性軸受け片部２０の基端部に位置している。
【００５６】
蓋体開閉機構１０においては、蓋部材１１が、蓋体組付凹部１３の側壁部１３ｃ側にやや寄せられて第１回転支軸部３０ｂを取外しガイド溝部２２内に嵌合される。蓋体開閉機構１０においては、蓋部材１１が、他方の第１回転支軸部３０ａとスライドガイド溝１７ａとの嵌合状態が解除される。蓋体開閉機構１０においては、この状態で図１５の矢印で示すように蓋部材１１を持ち上げることによって、筐体４からの取り外しが行われる。
【００５７】
薄型テレビ受像機１においては、筐体４から取り外した蓋部材１１が、図１６に示すように側方へと抜き取られることによって、入力端子ユニット１２を外部入出力部９から外方に臨ませる。蓋体開閉機構１０においては、筐体４からの取外し操作に際して、蓋部材１１をひねったり撓ませりすることは無い。したがって、蓋体開閉機構１０においては、蓋部材１１の着脱操作によって破損等の発生が防止されるようにする。
【００５８】
蓋体開閉機構１０においては、上述したように蓋部材１１を筐体４に対して回転操作とスライド操作のいずれの操作を行っても外部入出力部９を開放することが可能となり、設置場所や使用方法に制限されることなく入力端子ユニット１２を介して外部機器等との接続を行うことを可能として使い勝手の向上が図られるようにする。蓋体開閉機構１０においては、筐体４に対して蓋部材１１がガタつきを生じさせないようにして組み付けられており、またスライドガイド構造によってスムースなスライド操作が行われる。蓋体開閉機構１０においては、筐体４と蓋部材１１との最小数部品数で構成された簡易な構造であることから、コストの上昇も抑制される。
【００５９】
上述した実施の形態に示した蓋体開閉機構１０においては、筐体４に対して第２位置へとスライド操作された蓋部材１１が、主面部２５を背面部４ａから直角となるように回転操作される。蓋体開閉機構１０においては、蓋部材１１を途中の適宜の位置で停止させて使用することもある。第２の実施の形態として図１７に示した蓋体開閉機構４０は、基本的な構成を上述した蓋体開閉機構１０と同様とすることから、対応する部位に同一符号を伏して説明を省略するが蓋部材１１がクリック感を付与されて回転操作されるようにした構成に特徴を有している。
【００６０】
蓋体開閉機構４０は、筐体４側に形成された弾性軸受け片部４１の軸受け凹部４２に、幅方向の複数のクリック凹部４３ａ乃至４３ｃが形成されている。蓋体開閉機構４０は、蓋部材１１側に突出形成されて先端部が弾性軸受け片部４１の内面をスライド動作する第２回転支軸部４４に、クリック凸部４５が一体に突出形成されている。クリック凸部４５は、蓋部材１１の側端側に位置して第２回転支軸部４４の外周部に形成されたリブ状凸部からなる。
【００６１】
蓋体開閉機構４０においては、第２回転支軸部４４が第１位置から第２位置へとスライド動作する際には、クリック凸部４５が弾性軸受け片部４１の内面を摺擦しない位置に形成されている。蓋体開閉機構４０においては、第２位置において第２回転支軸部４４が弾性軸受け片部４１の軸受け凹部４２に相対嵌合して第１回転支軸部３０と共同して軸体を構成して軸受け凹部４２とスライドガイド溝２３と共同して構成する軸受け孔を支点として回転操作される。
【００６２】
蓋体開閉機構４０においては、第２回転支軸部４４の先端部が軸受け凹部４２内を回転すると、第２回転支軸部４４側のクリック凸部４５が弾性軸受け片部４１側のクリック凹部４３ａ乃至４３ｃに順次嵌合、離脱する。蓋体開閉機構４０においては、このクリック凸部４５とクリック凹部４３ａ乃至４３ｃとの嵌合、離脱によってクリック作用が奏されるようになる。蓋体開閉機構４０においては、クリック凸部４５がクリック凹部４３ａ乃至４３ｃのいずれかと相対嵌合した状態で蓋部材１１の回転操作を止めると、蓋部材１１がこの回転角度位置で保持される。
【００６３】
上述した実施の形態は、液晶パネル２を備える薄型テレビ受像機１の外部入出力部９を開閉する蓋体開閉機構の適用例を示したが、本発明はかかる適用例に限定されるものでは無いことは勿論であり、筐体に形成した開口部を蓋体によって開閉する構造を有する様々な電子機器等にも適用される。
【図面の簡単な説明】
【００６４】
【図１】薄型テレビ受像機の正面図である。
【図２】薄型テレビ受像機を背面側から示す斜視図である。
【図３】壁掛けブラケットユニットを取り付けた薄型テレビ受像機の背面側の斜視図である。
【図４】薄型テレビ受像機を壁面に取り付けた状態の側面図である。
【図５】薄型テレビ受像機の側面部に設けた外部入出力部を蓋部材によって閉塞した状態の要部斜視図である。
【図６】蓋部材を取り外して外部入出力部を示す要部斜視図である。
【図７】蓋部材を内面側から示す斜視図である。
【図８】外部入出力部を蓋部材によって閉塞した状態で、蓋部材の中央位置で断面して示す要部縦断面図である。
【図９】蓋部材が外部入出力部を閉塞してロック状態にある第１位置での要部端面図であり、同図（Ａ）は蓋部材の中央位置の要部端面図、同図（Ｂ）は第１軸受け部位位置の要部端面図、同図（Ｃ）は同第２軸受け部位位置の要部端面図である。
【図１０】蓋部材を第１位置からロック状態を解除させた第２位置へスライド操作した状態の要部斜視図である。
【図１１】蓋部材が第１位置から第２位置にスライド操作された状態での要部端面図であり、同図（Ａ）は蓋部材の中央位置の要部端面図、同図（Ｂ）は第１軸受け部位位置の要部端面図、同図（Ｃ）は同第２軸受け部位位置の要部端面図である。
【図１２】蓋部材を第２位置で回転操作して外部入出力部を開放した状態の要部斜視図である。
【図１３】蓋部材を第２位置で回転操作した状態の要部端面図であり、同図（Ａ）は蓋部材の中央位置の要部端面図、同図（Ｂ）は第１軸受け部位位置の要部端面図、同図（Ｃ）は同第２軸受け部位位置の要部端面図である。
【図１４】蓋部材を第２位置から取り外しが可能な第３位置へスライド操作した状態の要部斜視図である。
【図１５】蓋部材が第２位置から第３位置にスライド操作された状態での要部端面図であり、同図（Ａ）は蓋部材の中央位置の要部端面図、同図（Ｂ）は第１軸受け部位位置の要部端面図、同図（Ｃ）は同第２軸受け部位位置の要部端面図である。
【図１６】蓋部材を外部入出力部から取り外した状態の要部斜視図である。
【図１７】蓋部材の回転操作に際してクリック動作が行われるようにした他の蓋体開閉機構を示す蓋部材の中央位置で断面して示す要部縦断面図である。
【符号の説明】
【００６５】
１  薄型テレビ受像機、２  画像表示部、３  前面フレーム体、４  筐体、９  外部入出力部、１０  蓋体開閉機構、１１  蓋部材、１２  入出力端子ユニット、１３  蓋体組付凹部、１５  ロック孔、１６  逃げ凹部、１７  スライドガイド溝部、１８  クリック凸部、１９  切欠き溝部、２０  弾性軸受け片部、２１  軸受け凹部、２２  取外しガイド溝部、２３  スライドガイド溝、２４  嵌合凹部、２５  主面部、２６  側面部、２７  底面部、２８  指掛け凸部、２９  ロック爪、３０  第１回転支点部、３１  スライドガイドリブ、３２  第２回転支点部、３３  嵌合凸部、４０  蓋体開閉機構、４１  弾性軸受け片部、４２  軸受け凹部、４３  クリック凹部、４４  第２回転支点部、４５  クリック凸部
【図１】
2005260184.tif 000003
【図２】
2005260184.tif 000004
【図３】
2005260184.tif 000005
【図４】
2005260184.tif 000006
【図５】
2005260184.tif 000007
【図６】
2005260184.tif 000008
【図７】
2005260184.tif 000009
【図８】
2005260184.tif 000010
【図９】
2005260184.tif 000011
【図１０】
2005260184.tif 000012
【図１１】
2005260184.tif 000013
【図１２】
2005260184.tif 000014
【図１３】
2005260184.tif 000015
【図１４】
2005260184.tif 000016
【図１５】
2005260184.tif 000017
【図１６】
2005260184.tif 000018
【図１７】
2005260184.tif 000019